(57)【要約】【課題】位置固定されたイス間に進入させることができ、イスの背面側からイスの前方側への物品の供給作業又はイスの背面側とイスの前方側との間での物品の入れ替え作業の容易化を大幅に向上できる台車及びその使用方法を提供する。【解決手段】車輪４を備えるベース部材６、ベース部材６に立設される支持脚１４、１４、及び物品１０２Ｂを載置し支持脚１４、１４上に配置される載置台１０を備え、ベース部材６は側面が水平方向内側に凹んだ凹部１８を有する台車２を用いて、隣り合うイス１０６Ａ、１０６Ｂの一方のイス１０６Ｂを横向きに回転させ背もたれ１０６ａ、１０６ａ間の幅を広げた状態で台車２を水平方向の向きを変えながら移動させて、ベース部材６を支柱１０４Ａ、１０４Ｂ間に進入させ、載置台１０と支持部材８とを隣り合うイス１０６Ａ、１０６Ｂの背もたれ１０６ａ、１０６ａ間を移動させる。【選択図】図１
2018150046.tif 000002
【特許請求の範囲】
【請求項１】
車輪を備える板状のベース部材と、
前記ベース部材に立設される支持脚と、
物品を載置する載置台であって、前記支持脚上に配置される板状の載置台と、を備える台車において、
前記ベース部材は、側面が水平方向内側に凹んだ凹部を有することを特徴とする台車。
【請求項２】
前記ベース部材は、互いに対向する二つの長辺及び二つの短辺を有し、
前記短辺は、当該台車の進行方向に対し直交する辺をなすとともに、
前記凹部は、前記二つの長辺のうちの少なくとも一方に設けられていることを特徴とする請求項１に記載の台車。
【請求項３】
前記凹部は、前記二つの長辺の両方に設けられていることを特徴とする請求項１または２に記載の台車。
【請求項４】
前記載置台は、前記支持脚を介して鉛直方向に調整可能に設けられていることを特徴とする請求項１〜３のいずれか１項に記載の台車。
【請求項５】
前記載置台は、互いに対向する長辺及び短辺を有する長方形の形状を有する板状の部材で構成されることを特徴とする請求項１〜４のいずれか１項に記載の台車。
【請求項６】
前記支持脚と前記載置台との間に支持台が介在し、前記載置台は、前記支持台上で水平方向に回転可能であることを特徴とする請求項１〜５のいずれか１項に記載の台車。
【請求項７】
床面に一定の間隔で支柱が固定され、これらの支柱にそれぞれ背もたれを有するイスが回転可能に支持されてなる場所において、前記イスの背面側から前記イスの前方側への物品の供給又は前記イスの背面側と前記イスの前方側との間での物品の入れ替えを行うのに用いられる、請求項１〜６のいずれか１項に記載の台車の使用方法であって、
前記台車は、車輪を備えて床面を移動可能なベース部材と、物品を載置可能な載置台と、前記ベース部材に固定され前記載置台を前記イスの座面よりも高い位置に支持する支持部材とを備え、
前記隣り合うイスの一方のイスを横向きに回転させて前記背もたれ間の幅を広げた状態で台車を水平方向の向きを変えながら移動することにより、前記ベース部材を前記支柱間に進入させるとともに、前記載置台と前記支持部材とを前記隣り合うイスの背もたれ間を移動させることを特徴とする台車の使用方法。
【請求項８】
前記載置台が長方形の形状を有して水平回転可能に設けられ、前記隣り合うイス間を前記台車が移動入するとき又は前記隣り合うイス間から前記イスの背面側へ前記台車が出るときは前記載置台が縦長に設定されることを特徴とする請求項７に記載の台車の使用方法。
【発明の詳細な説明】
【技術分野】
【０００１】
本発明は、物の運搬に用いられる台車及び台車の使用方法に関する。
【背景技術】
【０００２】
例えばパーラーにおける遊技島には、複数のスロットマシンが支持枠で個別に区画されて並置されている。図１２に示すように、フロアの床面１００には各スロットマシン１０２Ａ、１０２Ｂに対応して一定の間隔で支柱１０４Ａ、１０４Ｂが位置固定され、これらの支柱１０４Ａ、１０４Ｂにはそれぞれ背もたれ１０６ａを有するイス１０６Ａ、１０６Ｂが回転可能に支持されている。フロアスペースを効率的に使用するために、イス１０６Ａ、１０６Ｂ間の隙間Ｗ１は２０ｃｍ程度の広さしかなく、遊技者が横向きで出入りしなければならない狭さとなっている。図１２において、符号１０８は遊技島を、１１０は天板を示している。
【０００３】
例えば遊技島１０８の支持枠内にスロットマシンを装着する場合、あるいはメンテナンスのために遊技島からスロットマシンを取り外して移動する場合には、位置が固定されたイスの存在が邪魔となって作業は容易ではない。スロットマシンは、例えば幅４５０ｍｍ、高さ８００ｍｍ、奥行３５０ｍｍの直方体状で、重量は４０ｋｇ前後ある。このような嵩張りのある重量物をイスで邪魔された状態で遊技島１０８に装着し、あるいは遊技島１０８から取り外す作業は極めて困難となっている。
【０００４】
スロットマシンの取り外し作業を行う場合、一般的には、イスの外側に二輪又は四輪の台車を置き、イスの両側から２人で目的のスロットマシンに近付き、取り外したスロットマシンを２人で持って背もたれを超えるようにイスの上を移動させ、台車に載せて運搬するようになっている。装着作業では、イスの外側に置いた台車に載っているスロットマシンを２人で持ち上げ、背もたれを超えるようにイスの上を移動させて遊技島の支持枠に嵌め込むようになっている。
【０００５】
スロットマシンを台車で遊技島の直前まで運ぶことができれば作業が極めて容易で労力の低減となるが、上記のようにイスの存在によって台車の進入は阻まれる。台車の幅は、スロットマシンを載せて移動するときの安定性を確保する観点から、支柱１０４Ａ、１０４Ｂ間の隙間Ｗ２よりも広い。このため、支柱１０４Ａ、１０４Ｂ間に進入して遊技島１０８に近付くことはできない。二輪台車は四輪台車に比べてホール内移動における機動性はあるが、遊技島への接近に関してイスで邪魔される点は四輪台車と変わりがない。
【先行技術文献】
【特許文献】
【０００６】
【特許文献１】特開２００９−１７８３７９号公報
【発明の概要】
【発明が解決しようとする課題】
【０００７】
本発明はこのような状況に鑑みて創案されたもので、位置固定されたイス間に進入させることができ、イスの背面側からイスの前方側への物品の供給作業又はイスの背面側とイスの前方側との間での物品の入れ替え作業の容易化を大幅に向上でき、作業員の労力の低減に大きく貢献できる台車及び台車の使用方法の提供を目的とする。
【課題を解決するための手段】
【０００８】
上記目的を達成するために、本発明は、床面に一定の間隔で支柱が固定され、これらの支柱にそれぞれ背もたれを有するイスが回転可能に支持されてなる場所において、前記イスの背面側から前記イスの前方側への物品の入れ替えを行うのに用いられる台車であって、車輪を備えて床面を移動可能であり前記隣り合うイスの前記支柱間よりも広い横幅を有しているベース部材と、前記物品を載置可能な載置台と、前記ベース部材に固定され前記載置台を前記イスの座面よりも高い位置に支持する支持部材とを備え、前記隣り合うイスの一方のイスを横向きに回転させて前記背もたれ間の幅を広げた状態で台車を水平方向の向きを変えながら移動することにより、前記ベース部材が前記隣り合うイスの前記支柱間に進入可能であり、且つ、前記ベース部材が前記隣り合うイスの背もたれ間を移動可能であることを特徴とする。
【０００９】
台車をイス間に進入させることができるので、供給すべき物品又は入れ替えを行う物品が重量物であっても、物品を持ってイスの背もたれ越しに移動させる必要はなく、少ない労力で簡単に作業を行うことができる。
【００１０】
載置台が支持部材に水平回転可能に支持され、回転により、隣り合うイス間を通過可能な横向き状態と、縦向き状態よりも幅の広い横向き状態とに任意に設定可能である構成としてもよい。
【００１１】
ベース部材が、イスの背面側からイスの前方側に向かって左右の少なくとも一方が水平方向内側に凹む形状を有している構成としてもよい、
【００１２】
支持部材が高さ調整可能に設けられており、イスの座面に対する載置台の上下方向の位置調整が可能である構成としてもよい。
【００１３】
イスの前方に遊技島があり、物品がスロットルマシンである構成としてもよい。
【００１４】
また、本発明は、床面に一定の間隔で支柱が固定され、これらの支柱にそれぞれ背もたれを有するイスが回転可能に支持されてなる場所において、前記イスの背面側から前記イスの前方側への物品の供給又は前記イスの背面側と前記イスの前方側との間での物品の入れ替えを行うのに用いられる台車の使用方法であって、前記台車は、車輪を備えて床面を移動可能なベース部材と、物品を載置可能な載置台と、前記ベース部材に固定され前記載置台を前記イスの座面よりも高い位置に支持する支持部材とを備え、前記隣り合うイスの一方のイスを横向きに回転させて前記背もたれ間の幅を広げた状態で台車を水平方向の向きを変えながら移動することにより、前記ベース部材を前記支柱間に進入させることを特徴とする。
【００１５】
載置台が長方形の形状を有して水平回転可能に設けられ、隣り合うイス間に台車が進入するとき又は隣り合うイス間からイスの背面側へ台車が出るときは縦長に設定される構成としてよい。
【発明の効果】
【００１６】
本発明によれば、位置固定されたイス間に台車を進入させることができ、イスの背面側からイスの前方側への物品の供給作業又はイスの背面側とイスの前方側との間での物品の入れ替え作業の容易化を大幅に向上でき、作業員の労力の低減に大きく貢献できる台車及び台車の使用方法を提供することができる。
【図面の簡単な説明】
【００１７】
【図１】本発明の一実施形態に係る台車の使用状態を示す斜視図である。
【図２】図１で示した台車の斜視図で、（ａ）はイス間に進入するときの状態を示す図、（ｂ）は進入後に載置台を回転させた状態を示す図である。
【図３】支柱間の隙間とベース部材との寸法関係を示す平面図である。
【図４】支柱部材の支持台と載置台との寸法関係を示す平面図である。
【図５】図４におけるＸ−Ｘ線の断面図で、（ａ）はスロットマシンを載せない状態の図、（ｂ）はスロットマシンを載せた状態の図である。
【図６】台車を直進させてもイス間に進入できないことを説明するための平面図である。
【図７】本発明の台車の使用方法を説明するための平面図で、イス間への進入時の初期状態を示す図である。
【図８】本発明の台車の使用方法を説明するための平面図で、イス間への進入がある程度進行した状態を示す図である。
【図９】図８の状態での側面図である。
【図１０】本発明の台車の使用方法を説明するための平面図で、台車の先端部が遊技島に当接した状態を示す図である。
【図１１】図１０の状態での側面図である。
【図１２】ホールにおけるイス間の隙間を示す正面図である。
【発明を実施するための形態】
【００１８】
以下、本発明の一実施形態について図を参照して説明する。
【００１９】
図１に示すように、本実施形態に係る遊技機用の台車２は、四隅に車輪４を備えてホールの床面１００を移動可能な全体として長方形状のベース部材６と、遊技機（物品）としてのスロットマシンを載置可能な載置台１０と、ベース部材に固定され、載置台１０をイスの座面１０６Ｂ−１よりも高い位置に支持する支持部材８と、ベース部材６の後端部に取り付けられた手押ハンドルとを有している。
【００２０】
ベース部材６は、隣り合うイス１０６Ａ、１０６Ｂの支柱１０４Ａ、１０４Ｂ間よりも広い横幅を有しているとともに水平方向の向きを変えながら移動することにより支柱１０４Ａ、１０４Ｂ間に進入可能である。また、隣り合うイス１０６Ａ、１０６Ｂの一方のイスを横向きに回転させて背もたれ１０６ａ間の幅を広げた状態で載置台１０と支持部材８とが隣り合うイス１０６Ａ、１０６Ｂ間を移動可能である。図１は、図中右側に位置するスロットマシン１０２Ｂを遊技島１０８の支持枠１０８Ｂに装着する場合を例示している。
【００２１】
図２に示すように、支持部材８は、ベース部材６の長手方向に間隔をおいて一列状に複数（ここでは２つ）固定された支持脚１４、１４と、これらの支持脚１４の上端に固定された平板上の支持台１６とから構成されている。図２（ｂ）に示すように、載置台１０は支持台１６上に水平回転可能に支持されている。図２（ａ）はイス間に進入するときの状態を示しており、支持台１６と載置台１０は共に縦向き状態となっている。各支持脚１４は二重筒構造を有し、上下方向にスライド自在に勘合された内筒を外筒に支持された固定ネジ３０で固定することにより、イス１０６の座面１０６Ｂ−１に対する載置台１０の上下方向の位置調整（微調整）ができるようになっている。図２において符号２０は車輪４の軸に螺合するナット部材を示している。
【００２２】
図３に示すように、ベース部材６は支柱１０４Ａ、１０４Ｂ間の幅Ｗ２よりも広い横幅Ｗ３を有し、遊技島１０８側に向かって左右の少なくとも一方（ここでは右側）に水平方向内側に凹む湾曲凹部を有している。湾曲凹部１８は幅Ｗ４が支柱１０４Ａ、１０４Ｂの幅Ｗ２よりも小さくなる円弧状に形成されている。湾曲凹部１８の存在によって、台車２の水平方向の向きを変えながら移動することにより、ベース部材６は支柱１０４Ａ、１０４Ｂ間に進入可能である。湾曲凹部１８は、スロットマシンを載せた場合の走行安定性を維持しつつ、支柱１０４Ａ、１０４Ｂ間に進入して遊技島１０８に接近することを可能とする観点からその形状が設定されている。湾曲凹部１８を形成することによってベース部材６の重心位置が変化するため、支持部材８の支持脚１４の位置はベース部材６の左側に偏っている。図３において、符号２１は、車輪４の軸の挿通孔を示している。
【００２３】
図４に示すように、支持台１６と載置台１０はほぼ同様の面積を有しており、載置台１０は手で回転操作をし易くするために四隅をカットした形状を有している。載置台１０は、その中心を支持台１６に軸支されており、水平回転可能となっている。支持台１６の複数箇所（ここでは４箇所の位置Ｒ１〜Ｒ４）には、摩擦低減部材が設けられており、スロットマシンが載置された状態での載置台１０の回転が滑らかにできるようになっている。
【００２４】
具体的に説明すると、図５に示すように、支持台１６の中心には軸部１６ｂが形成されており、載置台１０の中心には軸部１６ｂに勘合する勘合孔１０ｃが形成されている。支持台１６の上記４箇所の位置Ｒ１〜Ｒ４には、凹部１６ｃが形成されており、凹部１６ｃには鋼球２３とこれを突出するように付勢する弾性部材としてのバネ２５が収容されている。載置台１０にスロットマシンが載っていないときは、図５（ａ）に示すように隙間ｇ１の状態で載置台１０の滑らかな水平回転が得られる。スロットマシンが載置された場合でも、図５（ｂ）も示すように、隙間ｇ１よりも小さい僅かな隙間ｇ２が存在するようにバネ２５の付勢力が設定されている。これにより、載置台１０の面接触に近い滑らかで安定した水平回転が得られる。
【００２５】
載置台１０と支持台１６の長手方向両端部にはそれぞれ貫通孔１０ａ、１６ａ（図２（ｂ）参照）が設けられており、不図示のピンを両孔に挿通して支持台１６に対する載置台１０の回転を止められるようになっている。図４において、符号１０ｂは四隅をカットして残る載置台１０の回転操作用の凸部を示している。
【００２６】
支持台１６と載置台１０の横幅Ｗ５は、隣り合うイス１０６Ａ、１０６Ｂのうち一方を横向きに回転させて背もたれ１０６ａ間の幅を広げた状態でイス間をスムーズに移動できるように設定されている。載置台１０を回転させて横向きにすることにより、スロットマシンの向きを変えずに遊技島１０８に装着することができ、あるいは遊技島１０８から取り外したスロットマシンをそのまま載置することができる。本実施形態では、ベース部材６は安定性を確保するために厚さが４ｍｍの鋼板で形成されており、支持台１６と載置台１０は遊技機の支持強度と台車全体の軽量化との兼ね合いから、それぞれ１３ｍｍと６ｍｍの厚さのメラミン樹脂材で形成されている。材質や厚みはこれらの例に限定されない。
【００２７】
図６〜図１１に基づいて、本実施形態に係る遊技機用の台車２の使用動作を説明する。各図において、（ａ）は支柱１０４に対するベース部材６の関係を、（ｂ）はイスの背もたれ１０６ａに対する支持台１６と載置台１０との関係を示している。
【００２８】
図６（ａ）に示すように、ベース部材６の横幅Ｗ３は隣り合うイス１０６Ａ、１０６Ｂの支柱１０４Ａ、１０４Ｂ間の隙間Ｗ２よりも大きいので、台車２を遊技島に向けて真っ直ぐ宇に移動させても、ベース部材６は隣り合う支柱１０４Ａ、１０４Ｂ間に進入できない。また、図６（ｂ）に示すように、支持台１６と載置台１０の横幅Ｗ５は、イス１０６Ａとイス１０６Ｂの背もたれ１０６ａ間の隙間Ｗ６よりも大きいので、台車２の上部はイス１０６Ａ、１０６Ｂ間を通過できない。
【００２９】
そこで、図７（ｂ）に示すように、隣り合うイス１０６Ａとイス１０６Ｂのうちいずれか一方、換言すれば遊技島１０８に装着し又は遊技島から取り外すスロットマシンに対応するイス１０６Ｂを横向きにしてイス１０６Ａとイス１０６Ｂの背もたれ１０６ａ間を広げて幅Ｗ７とする。なお、支持脚１４の幅Ｗ８はイス１０６Ｂを横向きにしたときのイス１０６Ａとイス１０６Ｂの座面間の幅Ｗ９よりも小さく設定されている。この状態で台車２を水平方向の向きを変えて、すなわち斜めに変化させながら移動させると、湾曲凹部１８の存在によって、ベース部材６は支柱１０４Ａ、１０４Ｂ間に進入することができる。また、背もたれ１０６ａ間の幅Ｗ７は支持台１６と載置台１０とが斜めになった状態の水平方向の幅よりも大きいため、支持台１６と載置台１０はイス１０６Ａとイス１０６Ｂの背もたれ１０６ａ間を移動可能となる。図１はこの状態を示している。
【００３０】
図８及び図９は、台車２が隣り合うイス１０６Ａ、１０６Ｂ間を通過している途中の状態を示している。図９に示すように、台車２の支持台１６及び載置台１０はイス１０６Ｂの座面１０６Ｂ−１よりも高い位置を通過する。
【００３１】
図１０及び図１１は、台車２の下方先端部が遊技島１０８の下部側面に当接した状態を示し、且つ、図１０（ａ）に示すように、湾曲凹部１８を利用して台車２を最もイス１０６Ｂ側に寄せた状態を示している。図１０（ｂ）に示すように、支持台１６及び載置台１０の後端がイス１０６Ｂの背もたれ１０６ａを通過した後、横向きにしていたイス１０６Ｂを元の状態に戻す。また、載置台１０を回転させて載せてあるスロットマシン１０２Ｂの向きを遊技島１０８の支持枠１０８ｂに対応させる。この状態であれば、イス１０６Ｂの横から入り、スロットマシン１０２Ｂを持って遊技島１０８の支持枠１０８ｂに一人で嵌め込むことが可能である。
【００３２】
図１１から明らかなように、載置台１０と遊技島１０８の支持枠１０８ｂの下端とは床面１００からの高さが同一レベルとなっており、スロットマシン１０２Ｂを装着する場合、殆ど持ち上げる必要がなく、少ない労力で容易に装着することができる。載置台１０を遊技島１０８の支持枠１０８ｂの直前まで近付けることができるので、２人の作業者がイスの背面側に置いてある台車からスロットマシン１０２Ｂを持ち上げてイスの背もたれを越えるように運んで装着する従来の作業に比べると運ぶ距離及び持ち上げる高さは極端に少なく、労力を大幅に低減できる。
【００３３】
スロットマシン１０２Ｂを遊技島１０８に装着した後は、進入時と同様に、イス１０６Ｂを横向きにして水平方向の向きを変化させながらイスの背面側に移動させて台車２をイスの間から引き出す。本実施形態ではスロットマシンを装着する例で説明したが、遊技島１０８からスロットマシンを取り外す場合も同様に行うことができる。また、上記のように、支持脚１４による載置台１０の支持高さは調整ができるので、メーカーによって高さが異なるイスにも対応できる。図９に示すように、支柱１０４Ｂに足掛け部３２が設けられている場合には、ベース部材６の高さは足掛け部３２よりも低く設定される。
【００３４】
上記実施形態では複数の支持脚１４で支持された支持台１６の上に載置台１０を回転可能に設ける構成としたが、ベース部材６に柱状の１つの支持部材を設け、該支持部材に載置台を回転可能に設ける構成としてもよい。また、上記実施形態ではベース部材を水平方向で向きを変えながら支柱間に進入させる構成としたが、直進移動で支柱１０４Ａ、１０４Ｂ間に進入できる形状とし、スロットマシンを載せた状態で安定性を確保できる重量のある厚みとしてもよい。しかしながら、このような構成とした場合、台車の重量が増加するとともに高コスト化を来す。上記のように斜めにして進入できる形状とすることにより、軽量安定かつ低価格の構成を得ることができる。
【００３５】
また、上記実施形態では、ホールのスロットマシンの着脱いついての例で説明したが、本発明の台車はこれに限定されず、パチンコ台やその他の重量物である遊技機の着脱における運搬に使用できる。また、遊技場に限らず、位置固定されたイスの背面側からイスの前方側への物品の供給又はイスの背面側とイスの前面側との間での物品の入れ替えを行う作業環境において同様に物品の運搬に使用できる。すなわち、本発明に係る台車は、イスとイスの間を移動（通過）することによってのみイスの前方側にアクセスできるようなレイアウトの場所において、優れた機能を発揮できる。
【００３６】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００３７】
２  台車
４  車輪
６  ベース部材
８  支持部材
１０  載置台
１００  床面
１０２  物品としてのスロットマシン
１０４Ａ、１０４Ｂ  支柱
１０６Ａ、１０６Ｂ  イス
１０６ａ  背もたれ
１０６Ｂ−１  座面
１０８  遊技島
Ｗ３  横幅
【図１】
2018150046.tif 000003
【図２】
2018150046.tif 000004
【図３】
2018150046.tif 000005
【図４】
2018150046.tif 000006
【図５】
2018150046.tif 000007
【図６】
2018150046.tif 000008
【図７】
2018150046.tif 000009
【図８】
2018150046.tif 000010
【図９】
2018150046.tif 000011
【図１０】
2018150046.tif 000012
【図１１】
2018150046.tif 000013
【図１２】
2018150046.tif 000014